(57)【要約】【課題】ガスグリルの庫内側面を覆う着脱可能なカバー板が不用意に外れることを抑制する。【解決手段】カバー板１が載置されるグリル庫内側面３の奥側端部３ｂに、上部にカバー板１の奥側切り欠き１ｄの幅より大きな外径の鍔部６ａを有し、上面には十字穴形状を有し、下部には切り欠き１ｄの幅より小さい外径の円柱部６ｂを有する鍔付突起６を設け、カバー板１の切り欠き１ｄを鍔付突起６の円柱部６ｂに係止することにより、カバー板１の奥側にカバー板１を持ち上げようとする力が加わっても、カバー板１奥側端部１ｂの切り欠き１ｄは鍔付突起６の上部鍔部６ａに当接するため、何らかの外力によって不用意にカバー板１が外れることを防止することができる。【選択図】  図１
2004209133.tif 000002
【特許請求の範囲】
【請求項１】
グリル庫内の両側の側面に、この両側面を覆うカバー板を載置したガスグリルにおいて、カバー板の手前側端部および奥側端部に、それぞれ開口したＵ字状の切り欠きを設け、カバー板が載置されるグリル庫内の両側面の手前側端部には、カバー板の切り欠きの幅より小さい外径の円柱状突起を、奥側端部には、上部にカバー板の切り欠きの幅より大きな外径の鍔部を有し、下部には切り欠きの幅より小さい外径の円柱部を有する鍔付突起を設け、各突起の上面には十字穴形状を有し、カバー板の切り欠きを係止してカバー板を着脱自在に取り付けたことを特徴とするガスグリル。
【請求項２】
グリル庫内の両側面の奥側端部に設けた突起の上部鍔部の形状を六角形状とした請求項１記載のガスグリル。
【請求項３】
グリル庫内の両側面の奥側端部に設けた突起の上部鍔部下面を下方に向い円錐状にした請求項１記載のガスグリル。
【請求項４】
グリル庫内の両側面の突起は下部に着脱自在のねじ部を有した請求項１〜３のいずれか１項記載のガスグリル。
【発明の詳細な説明】
【０００１】
【発明の属する技術分野】
本発明は、ガスグリルの庫内側面を覆うカバー板の係止構成に関するものである。
【０００２】
【従来の技術】
従来のカバー板の係止構成は、図６および図７に示すように、カバー板１の手前側端部１ａおよび奥側端部１ｂに、それぞれ開口したＵ字状の切り欠き１ｃ、１ｄを設け、カバー板１が載置されるグリル庫内２の側面３の手前側端部３ａおよび奥側端部３ｂにはそれぞれカバー板１の切り欠き１ｃ、１ｄの幅より小さい外径の円柱状突起４、５を設け、各円柱状突起４、５にカバー板１の切り欠き１ｃ、１ｄを係止して、カバー板１を着脱自在に取り付けることにより、カバー板１のお手入れを容易に行えるようにしたものであった（例えば、特許文献１）。
【０００３】
【特許文献１】
特開２００１−３３８号公報
【０００４】
【発明が解決しようとする課題】
しかしながら上記従来の構成では、グリル使用後のお手入れの際などに、油受け皿を引き出した状態で油受け皿に載置された焼き網を外そうと持ち上げた場合、焼き網の外枠部がカバー板に触れてカバー板が持ち上がり、カバー板の前後いずれかのＵ字状切り欠き部が円柱状突起から外れ易いという課題を有していた。
【０００５】
また、カバー板が反りや捻じれといった変形した状態にあると、カバー板は本来の載置位置より上方へ浮き上がった状態となるため、カバー板のＵ字状切り欠き部が円柱状突起の上面を乗り越え易くなり外れてしまうという課題や、グリル庫内側面奥側のカバー板係止部は腰を屈めないと見えないという見辛い位置にあるため、カバー板の奥側のＵ字状切り欠き部が円柱状突起から外れている、また外れそうであるといった状態にあっても、その状態の確認が目視では困難であるという課題を有していた。
【０００６】
さらに、突起が円柱形状のため、組立やサービスの着脱作業時に特殊な工具が必要であるという課題も有していた。
【０００７】
本発明は、上記従来の課題を解決するもので、カバー板が不用意に外れることを抑制するカバー板の係止構成と、突起の着脱を容易にする突起形状を提供することを目的とする。
【０００８】
さらに、突起の組立やサービス時の着脱作業時に一般的な工具であるドライバーやスパナで可能にした突起形状を提供することを目的とする。
【０００９】
【課題を解決するための手段】
上記従来の課題を解決するために、本発明のカバー板の係止構成は、グリル庫内側面の奥側端部に設けたカバー板係止用突起において、その上部上面には十字穴形状を設けて、かつカバー板の切り欠きの幅より大きな外径の鍔部を形成し、下部は切り欠きの幅より小さい外径の円柱形状としたものである。
【００１０】
これによって、まずカバー板奥側のＵ字状の切り欠きをグリル庫内側面の奥側端部に設けた奥側係止用突起の下部円柱部に嵌合させ、さらにカバー板手前側のＵ字状の切り欠きをグリル庫内側面の手前側端部に設けた手前側係止用円柱状突起と嵌合させることにより、手前側係止用円柱状突起からカバー板手前側のＵ字状の切り欠きが外れない限り、奥側の係止部が外れることはなく、カバー板が不用意に外れることを抑制することができる。
【００１１】
さらに、製品を分解することなく、ドライバーやスパナ等の一般工具で突起の着脱を容易にすることができる。
【００１２】
【発明の実施の形態】
請求項１に記載の発明は、グリル庫内の両側の側面に、この両側面を覆うカバー板を載置したガスグリルにおいて、カバー板の手前側端部および奥側端部に、それぞれ開口したＵ字状の切り欠きを設け、カバー板が載置されるグリル庫内の両側面の手前側端部には、カバー板の切り欠きの幅より小さい外径の円柱状突起を、奥側端部には、上部にカバー板の切り欠きの幅より大きな外径の鍔部を有し、下部には切り欠きの幅より小さい外径の円柱部を有する鍔付突起を設け、各突起の上面には十字穴形状を有し、カバー板の切り欠きを係止してカバー板を着脱自在に取り付けたものである。
【００１３】
そして、手前側係止用円柱状突起からカバー板手前側のＵ字状の切り欠きが外れない限り、奥側の係止部が外れることはなく、カバー板が不用意に外れることを抑制することができる。
【００１４】
さらに、製品を分解することなく、ドライバーやスパナ等の一般工具で突起の着脱を容易にすることができる。
【００１５】
請求項２に記載の発明は、特に請求項１記載のガスグリルのグリル庫内の両側面の奥側端部に設けた突起の上部鍔部を六角形状にすることで、製品を分解することなく、スパナでも着脱が容易にできるようにしたものである。
【００１６】
請求項３に記載の発明は、特に請求項２記載のガスグリルのグリル庫内の両側面の奥川端部に設けた突起の上部鍔部を六角形状にし、かつ下方に向い円錐形状にすることにより、カバー板奥側端部に設けたＵ字状の切り欠きを突起の下部円柱部に嵌合させる際、切り欠きが突起の円錐面に沿いながら下部円柱部に向かって移動するため、容易に嵌合させることができる。さらに、製品を分解することなく、プラスドライバーで着脱が容易にできるようにしたものである。
【００１７】
請求項４に記載の発明は、請求項１、２、３記載のガスグリルのグリル庫内両側面のカバー板載置面のグリル庫内前後両端部に設けた突起の下部に着脱自在のねじ部を設けたもので、取り付けにドライバーやスパナで自在に着脱できるため、製品を分解することなく、また、かしめや溶接での取り付けではないため、廃棄することなく、突起だけでなく、関連部品を再使用可能になる。さらに、簡単な作業での突起の着脱が可能となる。
【００１８】
【実施例】
以下、本発明の実施例について図面を用いて説明する。
【００１９】
（実施例１）
図１は本発明の実施例１のグリル庫内側面図、図２は要部側面図である。
【００２０】
図１において、グリル庫内側面３にカバー板１が載置されている。カバー板１の手前側端部１ａおよび奥側端部１ｂに、それぞれ開口したＵ字状の切り欠き１ｃ、１ｄを設け、カバー板１が載置されるグリル庫内側面３の手前側端部３ａには、カバー板１の手前側切り欠き１ｃの幅より小さい外径の円柱状突起４を、奥側端部３ｂには、上部にカバー板１の奥側切り欠き１ｄの幅より大きな外径の鍔部６ａを有し、下部には切り欠き１ｄの幅より小さい外径の円柱部６ｂを有する鍔付突起６を設け、上面に十字穴形状４ｃ、６ｃを設けた各突起４、６にカバー板１の切り欠き１ｃ、１ｄが係止されている。
【００２１】
図２はカバー板１の装着手順を示している。まずカバー板１の奥側切り欠き１ｄを鍔付突起６の下部円柱部６ｂに横方向より嵌合させてから、カバー板１の手前側切り欠き１ｃを円柱状突起４に上方より嵌め込む。突起４，６の上面部には、十字穴４ｃ、６ｃを設けている。
【００２２】
次に作用、効果について説明する。
【００２３】
カバー板１の奥側にカバー板１を持ち上げようとする力が加わっても、カバー板１奥側端部１ｂの切り欠き１ｄは鍔付突起６の上部鍔部６ａに当接するため、カバー板１が鍔付突起６から外れることはない。
【００２４】
このため、油受け皿８を引き出した状態で油受け皿８に載置された焼き網（図示せず）を外そうと持ち上げた際、焼き網の外枠部がカバー板１に触れるなど、何らかの外力によって不用意にカバー板１奥側が持ち上がっても、カバー板１の外れを防止することができる。
【００２５】
また、カバー板１が反りや捻じれといった変形した状態にあり、カバー板１奥側が本来の載置位置より上方へ浮き上がった状態になったとしても、切り欠き１ｄが鍔付突起６の下部円柱部６ｂに嵌合している限り、カバー板１奥側のみ外れるということはない。
【００２６】
また、突起上面に十字穴形状を設けているため、ドライバー等の工具での簡単な着脱作業で可能となる。
【００２７】
このため、カバー板１の奥側が突起６から外れている、また外れそうであるといった確認が不要となるため、腰を屈めて奥を覗き込むという辛い姿勢をとらなくてすむ。
【００２８】
（実施例２）
図３は本発明の実施例３のグリル庫内側面図である。実施例１、２と異なる点は、グリル庫内側面３の奥側端部３ｂに設けた鍔付突起６の６ａを六角柱形状７とした点である。
【００２９】
次に作用、効果について説明する。
【００３０】
カバー板１の奥側にカバー板１を持ち上げようとする力が加わっても、カバー板１奥側端部１ｂの切り欠き１ｄは鍔付突起６の上部鍔部６ａに当接するため、カバー板１が鍔付突起６から外れることはない。
【００３１】
このため、油受け皿８を引き出した状態で油受け皿８に載置された焼き網（図示せず）を外そうと持ち上げた際、焼き網の外枠部がカバー板１に触れるなど、何らかの外力によって不用意にカバー板１奥側が持ち上がっても、カバー板１の外れを防止することができる。
【００３２】
また、カバー板１が反りや捻じれといった変形した状態にあり、カバー板１奥側が本来の載置位置より上方へ浮き上がった状態になったとしても、切り欠き１ｄが鍔付突起６の下部円柱部６ｂに嵌合している限り、カバー板１奥側のみ外れるということはない。
【００３３】
また、突起上面に十字穴形状を設けているため、ドライバー等の工具での簡単な着脱作業で可能となる。
【００３４】
このため、カバー板１の奥側が突起６から外れている、また外れそうであるといった確認が不要となるため、腰を屈めて奥を覗き込むという辛い姿勢をとらなくてすむ。
【００３５】
（実施例３）
図４は本発明の実施例２のグリル庫内側面図である。実施例１の構成と異なる点は、グリル庫内側面３の奥側端部３ｂに設けた鍔付突起６の上部鍔部６ａの下面を突起の下部円柱部６ｂに向かって下向きの円錐形状６ｃとした点である。
【００３６】
次に作用、効果について説明する。
【００３７】
カバー板１奥部の切り欠き１ｄを鍔付突起６の下部円柱部６ｂに嵌合させる際、切り欠き１ｄが円柱部６ｂでなく鍔部６ａに当たった場合でも、切り欠き１ｄが円錐面６ｃに沿いながら下部円柱部６ｂに向かって移動するため、切り欠き１ｄを円柱部６ｂに容易に嵌合させることができる。また、突起上面に十字穴形状を設けているため、ドライバー等の工具での簡単な着脱作業で可能となる。
【００３８】
（実施例４）
図５は本発明の実施例４の突起の外観図である。実施例１〜３と異なる点は、グリル庫内側面３の奥側端部３ｂに設けた鍔付突起６及び手前側端部３ａに設けた突起４を夫グリル庫内側面３にねじ部８により固定する構成とした点である。
【００３９】
次に作用、効果について説明する。
【００４０】
カバー板１装着時、奥側の鍔付突起に嵌合させる際、カバー板１のグリル庫内側面３側はグリル庫内側面３に沿って、また、カバー板１のグリル庫内中央側端部１ｅはカバー板載置面３ｃのグリル庫内中央側曲げ部３ｄに沿ってカバー板１の左右位置を守った状態で奥側の鍔付突起に向かって確実に滑らせることができるため、カバー板１の装着を確実かつ容易に行うことができる。
【００４１】
また、突起４，６をグリル庫内側面への固定をねじにすることで、簡単な工具で着脱可能となる。
【００４２】
【発明の効果】
以上のように本発明によれば、何らかの外力によって不用意にカバー板奥側が持ち上がっても、カバー板の外れを防止することができる。
【００４３】
また、カバー板が反りや捻じれといった変形した状態にあり、カバー板奥側が本来の載置位置より上方へ浮き上がった状態になったとしても、切り欠きが鍔付突起の下部円柱部に嵌合している限り、カバー板奥側のみ外れるということはない。さらに、突起の上面を十字穴形状にしているため、ドライバー等での簡単な着脱作業となる。
【００４４】
このため、カバー板の奥側が突起から外れている、また外れそうであるといった確認が不要となるため、腰を屈めて奥を覗き込むという辛い姿勢をとらなくてすむ。
【００４５】
また、カバー板奥部の切り欠きを鍔付突起の下部円柱部に嵌合させる際、切り欠きが円柱部でなく鍔部に当たった場合でも、切り欠きが円錐面に沿いながら下部円柱部に向かって移動するため、切り欠きを円柱部に容易に嵌合させることができる。さらに、突起上面を十字穴形状にしているため、ドライバー等の簡単な作業となる。
【００４６】
また、カバー板の手前側端部の一部を手前側上向きに延ばした部分を指で掴んでカバー板を着脱できるため、カバー板の着脱を容易に行うことができる。さらに、突起上面を十字穴形状にしているため、ドライバー等の簡単な着脱作業となる。
【００４７】
また、カバーを係止する突起のグリル庫内側面への固定をねじ固定にしているため、突起の着脱作業が簡単になる。
【図面の簡単な説明】
【図１】本発明の実施例１のグリル庫内側面図
【図２】本発明の実施例１のグリル庫内要部側面図
【図３】本発明の実施例２のグリル庫内側面図
【図４】本発明の実施例３のグリル庫内側面図
【図５】本発明の実施例４の突起の斜視図
【図６】従来のガスグリルの庫内正面図
【図７】従来のガスグリルのグリル庫内側面図
【符号の説明】
１  カバー板
１ａ  カバー板手前側端部
１ｂ  カバー板奥側端部
１ｃ  切り欠き
１ｄ  切り欠き
２  グリル庫内
３  グリル庫内側面
３ａ  グリル庫内手前側端部
３ｂ  グリル庫内奥側端部
４  円柱状突起
６  鍔付突起
６ａ  鍔部
６ｂ  円柱部
６ｃ  円錐形状
８  ねじ部
【図１】
2004209133.tif 000003
【図２】
2004209133.tif 000004
【図３】
2004209133.tif 000005
【図４】
2004209133.tif 000006
【図５】
2004209133.tif 000007
【図６】
2004209133.tif 000008
【図７】
2004209133.tif 000009